(57)【要約】【課題】  錠ケースの上下・左右並びに厚み方向の寸法をコンパクトにし、各構成部品の構造を簡単にする共に、永年使用による摩耗を防止して、誤動作を少なくし、耐久性の向上を企図した、外部に信号を出力可能な扉錠を提供すること。【解決手段】  デッドハブ４が、デッドボルト５を前進又は後退させるハブ本体１０と、ハブ本体１０に嵌装されて外部から一定角度回動操作できる制御ハブ２０とからなり、前記ハブ本体１０と制御ハブ２０とにはボール３０が出し入れされるボール穴１３、２３を形成してあり、このハブ本体１０と制御ハブ２０とは一体に回動されたり又は制御ハブ２０のみ回動されるように構成してある。また制御ハブ２０に設けたリング４０と、リング４０の係合受部４１と係合される係合部５１を有する摺動部材５０と、摺動部材５０の移動により、スイッチハブ６０を介してデッドボルト５の施錠状態を電気的に表示するスイッチ６１とを備えている。【選択図】        図３
2007270590.tif 000002
【特許請求の範囲】
【請求項１】
錠ケース１の両側面に対面状に設けたシリンダー２及びサムターン３と、このシリンダー２とサムターン３のそれぞれの操作により、錠ケース１内に回動自在に枢着したデッドハブ４を回動してデッドボルト５を出没するようにした扉錠において、
前記デッドハブ４は、デッドボルト５を前進又は後退させる係合部１１を有するハブ本体１０と、このハブ本体１０のハブ穴１２に嵌装されて外部から一定角度回動操作できる制御ハブ２０とからなり、
前記ハブ本体１０と制御ハブ２０とにはボール３０が出し入れされるボール穴１３、２３を形成してあり、このハブ本体１０と制御ハブ２０とは一体に回動されたり又は制御ハブ２０のみ回動されるように構成してあり、
前記制御ハブ２０の外面側に設けたリング４０と、
このリング４０に形成された係合受部４１と係合される係合部５１を有する摺動部材５０と、
前記摺動部材５０の移動により、スイッチハブ６０を介してデッドボルト５の施錠状態を電気的に表示するスイッチ６１とを備え、
合鍵ｋによりシリンダー２を施錠方向に回動して施錠完了後に、更に合鍵ｋを施錠方向に所定角度まで回動することにより、制御ハブ２０とリング４０の回動を介して摺動部材５０を施錠方向に移動してスイッチ６１がオン状態になるとともに、合鍵ｋによりシリンダー２を解錠方向に回動することにより、制御ハブ２０とリング４０の回動を介して摺動部材５０を解錠方向に移動してスイッチ６１がオフ状態になるように構成してある一方、サムターン３の回動操作によっては、ハブ本体１０を介してデッドボルト５を前進又は後退して施解錠できるが、該サムターン３によっては前記制御ハブ２０及びリング４０の回動を不能としてスイッチ６１のオン・オフができないように構成してあることを特徴とする扉錠。
【発明の詳細な説明】
【技術分野】
【０００１】
本発明は、施錠又は解錠操作に応じて外部に防犯用の信号を出力可能な扉錠に関する。
【背景技術】
【０００２】
近年、セキュリティ意識の向上に伴い、従来の警備員の定期的巡回による人的警備から２４時間継続して監視可能な機械警備が普及しつつあり、また、出入り口の入室管理を厳格にしたいといった企業などのニーズから扉錠の施錠・解錠操作に応じて外部に防犯用の信号を出力可能な扉錠が要望されている。
【０００３】
一般的な扉錠での施錠・解錠は、室内外からサムターンまたはシリンダーへのキー操作で行われ、この操作によって扉に設けられた扉錠の錠ケースから扉枠側に対して、デットボルトを出没させることによって、扉錠の施解錠が行われるようにされている。このような扉錠に対して、施錠・解錠操作に応じて外部に防犯用の信号を出力可能なものとして、特許文献１のようなものが知られている。
【０００４】
【特許文献１】特開２００１−２２７２１５号公報
【発明の開示】
【発明が解決しようとする課題】
【０００５】
上記特許文献１の錠前の信号取出し機構では、錠ケースに内装された、サムターンダルマ、シリンダーダルマ、両ダルマに噛合する制御歯車、スイッチ，スイッチをオン・オフするための出力部材、並びに付勢バネなどで構成されている。これにより、シリンダーダルマの回動操作により、スイッチをオン・オフできるが、サムターンダルマの回動操作によってはスイッチをオン・オフできないようにして、室外側からのみ防犯用の信号を取り出すようにしてなるものである。
しかしながら、この特許文献１のものでは、ハブ軸に嵌装したサムターンダルマとシリンダーダルマの外周部に歯車（係合歯）を形成し、この歯車に噛合する制御歯車を錠ケースの上下方向（垂直方向）か、又は実施例で示されているように左右方向（水平方向）に配置する必要がある。そのため、必然的に錠ケースの上下方向あるいは左右方向の寸法（実施例では左右方向の寸法）が大きくなり、扉の種類などによっては取り付けることができないという問題がある。
また、特許文献１のものでは、このサムターンダルマ、シリンダーダルマ、制御歯車、出力部材などに、サムターン係合歯、シリンダー係合歯、制御指部、係合突部やスイッチ駆動部などを形成するとともに、それら各部材の係合部などの連係機構が複雑である。さらに、これら各部材の係合部などの連係機構が永年使用により摩耗する虞れがあり誤動作や耐久性に問題がある。
【０００６】
この発明は、上記問題を解消しようとするものであり、信号取り出し用の構成部材を錠ケースの厚み方向に、しかも錠ケースの厚み寸法が大きくならないように立体交差するように配置することにより、錠ケースの上下および左右方向の寸法は勿論のこと、厚み寸法も大きくなることのないコンパクトな錠ケースを提供できるとともに、各構成部品の構造を簡単にするとともに、永年使用による摩耗を防止して、誤動作を少なくするとともに、耐久性の向上を企図した、外部に信号を出力可能な扉錠を提供することを目的としている。
【課題を解決するための手段】
【０００７】
上記目的を達成するため、本発明の扉錠は、錠ケースの両側面に対面状に設けたシリンダー及びサムターンと、このシリンダーとサムターンのそれぞれの操作により、錠ケース内に回動自在に枢着したデッドハブを回動してデッドボルトを出没するようにした扉錠において、前記デッドハブは、デッドボルトを前進又は後退させる係合部を有するハブ本体と、このハブ本体のハブ穴に嵌装されて外部から一定角度回動操作できる制御ハブとからなり、前記ハブ本体と制御ハブとにはボールが出し入れされるボール穴を形成してあり、このハブ本体と制御ハブとは一体に回動されたり又は制御ハブのみ回動されるように構成してあり、前記制御ハブの外面側に設けたリングと、このリングに形成された係合受部と係合される係合部を有する摺動部材と、前記摺動部材の移動により、スイッチハブを介してデッドボルトの施錠状態を電気的に表示するスイッチとを備え、合鍵によりシリンダーを施錠方向に回動して施錠完了後に、更に合鍵を施錠方向に所定角度まで回動することにより、制御ハブとリングの回動を介して摺動部材を施錠方向に移動してスイッチがオン状態になるとともに、合鍵によりシリンダーを解錠方向に回動することにより、制御ハブとリングの回動を介して摺動部材を解錠方向に移動してスイッチがオフ状態になるように構成してある一方、サムターンの回動操作によっては、ハブ本体を介してデッドボルトを前進又は後退して施解錠できるが、該サムターンによっては前記制御ハブ及びリングの回動を不能としてスイッチのオン・オフができないように構成してあることを特徴とする。
【発明の効果】
【０００８】
本発明の請求項１の発明によれば、錠ケースの両側面に対面状に設けたシリンダー及びサムターンと、このシリンダーとサムターンのそれぞれの操作により、錠ケース内に回動自在に枢着したデッドハブを回動してデッドボルトを出没するようにした扉錠において、前記デッドハブは、デッドボルトを前進又は後退させる係合部を有するハブ本体と、このハブ本体のハブ穴に嵌装されて外部から一定角度回動操作できる制御ハブとからなり、前記ハブ本体と制御ハブとにはボールが出し入れされるボール穴を形成してあり、このハブ本体と制御ハブとは一体に回動されたり又は制御ハブのみ回動されるように構成してあり、前記制御ハブの外面側に設けたリングと、このリングに形成された係合受部と係合される係合部を有する摺動部材と、前記摺動部材の移動により、スイッチハブを介してデッドボルトの施錠状態を電気的に表示するスイッチとを備え、合鍵によりシリンダーを施錠方向に回動して施錠完了後に、更に合鍵を施錠方向に所定角度まで回動することにより、制御ハブとリングの回動を介して摺動部材を施錠方向に移動してスイッチがオン状態になるとともに、合鍵によりシリンダーを解錠方向に回動することにより、制御ハブとリングの回動を介して摺動部材を解錠方向に移動してスイッチがオフ状態になるように構成してある一方、サムターンの回動操作によっては、ハブ本体を介してデッドボルトを前進又は後退して施解錠できるが、該サムターンによっては前記制御ハブ及びリングの回動を不能としてスイッチのオン・オフができないように構成してあるから、信号取り出し用の構成部材を錠ケースの厚み方向に、しかも錠ケースの厚み寸法が大きくならないように立体交差するように配置することにより、特許文献１の構成に比べて、錠ケースの上下および左右方向の寸法は勿論のこと、厚み寸法も大きくなることのないコンパクトな錠ケースを提供できる。また、各構成部品の構造を簡単とするとともに、永年使用による摩耗を防止して、誤動作を少なくするとともに、耐久性の向上を実現した、外部に信号を出力可能な扉錠が提供できる。
【０００９】
さらに、前記シリンダーの回動操作によりスイッチをオン状態としている場合に、このスイッチのオフ状態への切り替えは、前記シリンダーに対する解錠方向への回動によりデッドボルトが完全に後退するまでの解錠途中で行える利点がある。
【発明を実施するための最良の形態】
【００１０】
本発明の扉錠の実施形態の一例を図１〜図１５に基づいて以下に説明する。
図１は、本発明の扉錠をレバーハンドル錠に適用した分解斜視図であり、図２はこの扉錠Ａを組付けた状態の要部断面図である。図１及び２において、Ａは扉錠であって、この扉錠Ａは、デットボルト５を出没するためのデットハブ４等の出没操作機構を内装した錠ケース１と、室内側に設けたサムターン３と、室外側にサムターン３と同軸的に対面状に設けたシリンダー２などから構成されている。図１の分解斜視図に示すように、この扉錠Ａは、錠ケース１に対して、合鍵ｋで操作可能なシリンダー２及びサムターン３の他、錠ケースからラッチＢを出没操作するための室内外一対のレバーハンドルＣ、フロント板Ｄが取り付けられている。
【００１１】
図３に示すのは、デットボルト５をフロント板Ｄから前進させた施錠状態を示す錠ケース１の縦断面図である。この錠ケース１内には、錠ケース１に固定される支持部材１５と、この支持部材１５の上板１５Ａ，下板１５Ｂ間に嵌挿されるハブガイド２５と、錠ケース１に対して前記支持部材１５及びハブガイド２５を介して枢着されるデットハブ４が設けられている。
【００１２】
デットハブ４の回動操作によって、デットハブ４の係合部１１がデットボルト５の係合切欠き５Ａに係合することによって、デットボルト５を前進又は後退しフロント板Ｄから出没自在に構成されている。このデッドハブ４は、デッドボルト５を前進又は後退させる係合部１１を有するハブ本体１０と、このハブ本体１０のハブ穴１２に嵌装されて外部から一定角度回動操作できる制御ハブ２０とから構成されている。
【００１３】
制御ハブ２０の外面側にはリング４０が嵌装されており、このリング４０に形成された係合受部４１に係合される係合部５１を有する摺動部材５０と、摺動部材５０の移動により、摺動部材５０に設けたラック５２に噛合するギア６０ｃを介して回動されるスイッチハブ６０を設け、このスイッチハブ６０の回動によりスイッチ６１をＯＮ・ＯＦＦさせるようにしてある。ところで、制御ハブ２０は必ずシリンダー２側にあり、その制御ハブ２０はデッドハブ４と一体的に回動するので、デッドハブ４の回動すなわち、シリンダー２によるデッドボルト５の出没動作（施錠・解錠）に摺動部材５０が連動してスイッチ６１がＯＮ・ＯＦＦされる。このスイッチ６１には、電気的な信号を有線で外部に出力するためのリード線６１Ａが錠ケース１外に導出されている。このリード線６１Ａは外部の警報ランプに接続され、例えば、施錠が完了するとランプが点灯したり、警報システムと連係する室内の人体検知センサが有効化されて、その後に室内で何らかの物体が動くとそれを検知して警報を発するといった使用方法がなされる。このような使用方法に限らず、スイッチ６１と連係して、室内の家電製品が接続される予め定められた所定の電源がＯＦＦ状態にするなどして、省エネのために使用することも可能である。また、スイッチ６１が外部に信号を出力するための手段として有線方式に限らず、無線方式で外部に信号を出力するように構成できるのは勿論である。
【００１４】
この扉錠Ａは、合鍵ｋによりシリンダー２を施錠方向に回動して施錠完了後に、更に、合鍵ｋを施錠方向に所定角度まで回動することにより、制御ハブ２０がリング４０と係合して摺動部材５０およびスイッチハブ６０を介してスイッチ６１をオン状態とする一方、合鍵ｋによりシリンダー２を解錠方向に回動することにより、制御ハブ２０がリング４０と係合して摺動部材５０を前進させてスイッチハブ６０でのスイッチ６１のオン状態を解除してオフ状態になるように構成されている。詳しくは、後述する。
【００１５】
次に、図４〜図８に基づいて、錠ケース１に対するデットハブ４の取り付け構造について詳述する。
【００１６】
図４の（Ａ）は支持部材１５の正面図、（Ｂ）は（Ａ）の中央縦断面図、（Ｃ）は底面図、（Ｄ）は背面図である。支持部材１５は、上板１５Ａと下板１５Ｂとを連結部１５Ｃで連結した板金から構成されており、上板１５Ａの舌片１５Ａ１，１５Ａ１と下板１５Ｂの舌片１５Ｂ１，１５Ｂ１を錠ケース１に対してカシメなどの方法によって固定される。
【００１７】
図５の（Ａ）はハブガイド２５の正面図、（Ｂ）は平面図、（Ｃ）は底面図、（Ｄ）は左側面図である。このハブガイド２５は、肉厚の金属性素材からなり、略中央部分にハブ本体１０の内部にハブ穴１２を形成した円筒軸１０Ａを嵌挿する軸穴２６を形成している。そして、この軸穴２６の内周面の適宜箇所には、ハブ本体１０と制御ハブ２０とを一体に回転させたり別体に回転させたりするための連係回動機構の一部となる貫通孔２６Ａ，２６Ａ，２６Ａを形成している。この貫通孔２６Ａの夫々には、図３や図１０〜図１５に示されるように押出ピン３６と、この押出ピン３６を後述するボール３０が軸穴２６側に押しやられるように付勢する付勢手段としてのバネ３５が設けられている。
【００１８】
図６の（Ａ）はデットハブ４のハブ本体１０の正面図、（Ｂ）は（Ａ）のＡ−０−Ａ断面図、（Ｃ）は（Ａ）のＢ−Ｏ−Ｃ断面図である。ハブ本体１０は、デットボルト５の係合切欠き５Ａに係合することによって、デットボルト５を前進又は後退してフロント板Ｄから出没自在に操作するため係合部１１が、円筒軸１０Ａと一体的に突出して形成されている。前記円筒軸１０Ａはハブガイド２５の裏面側から正面側に向かって軸穴２６に対して回動自在に嵌合され、円筒軸１０Ａの内部に設けられたハブ穴１２と円筒軸１０Ａの外周には、ハブガイド２５の貫通孔２６Ａ，２６Ａ，２６Ａと連通するボール穴１３，１３，１３が形成されている。また、ハブ穴１２には、サムターン３のサムターン軸３Ａの係合穴１２Ａを形成するとともに、ハブ穴１２の内周面には、後述する制御ハブ２０の一側面に設けられた円弧帯状の切欠き２１に遊嵌される円弧帯状凸部１２Ｂが設けられている。円弧帯状凸部１２Ｂの円周方向の幅ｒは、円弧帯状の切欠き２１の円周方向の幅Ｒに比べて小さく設定されており、この幅の差がハブ本体１０と制御ハブ２０とが個別に回動できる遊びとなっている。
【００１９】
図７の（Ａ）は制御ハブ２０の正面図、（Ｂ）は背面図、（Ｃ）は（Ｂ）のＡ−Ｏ−Ｂ断面図である。制御ハブ２０は、厚み方向の一側面に、複数のボール３０がそれぞれ当接するボール穴２３，２３，２３が設けられている。このボール穴２３，２３，２３は、ハブ本体１０のボール穴１３と、ハブガイド２５の貫通孔２６Ａと連通する位置に設けられている。ボール穴２３，２３，２３は、ボール３０がバネ３５の付勢力によって押出ピン３６を介して安定状態で当接する最深部２３Ａと、最深部２３Ａから制御ハブ２０の回動両方向に対して最深部２３Ａから連続したテーパ部２３Ｂを形成している。また、制御ハブ２０には、その厚み方向の他側面に、シリンダー２の操作杆２Ａの解錠・施錠操作に応じて後述するリング４０の係合凸部４２と係合する一対の円弧状凸部２４，２４が内方に突設されている。また、図７で符号２２は分離壁であって、この分離壁２２によってサムターン軸３Ａと操作杆２Ａとを分離する。
【００２０】
図８の（Ａ）はリング４０の正面図、（Ｂ）は断面図である。このリング４０は所定の厚みを有する板金で形成されている。そして、その外周には、係合受部４１を形成する一方、内周には、制御ハブ２０の円弧状凸部２４，２４と係合する係合凸部４２，４２を形成している。制御ハブ２０を回動操作すると、係合凸部４２に対して制御ハブ２０の円弧状凸部２４が係合してリング４０が一体的に回動操作可能となる。
【００２１】
図９の（Ａ）は摺動部材５０の正面図、（Ｂ）は（Ａ）のＡ−Ａ断面図である。この摺動部材５０は所定厚みの板金で形成された長尺形状を有し、長手方向一側面にはラック５２を有するとともに、他方の側面には、施錠・解錠操作に応じてリング４０の係合受部４１と係合する係合部５１を設けている。このように制御ハブ２０の回動操作に応じてリング４０の係合受部４１が摺動部材５０の係合部５１に係合し、長尺状の摺動部材５０をハブガイド２５の正面側に設けられた摺動溝２７に沿って、デットボルト５の進退方向と逆の方向に操作されるものである。そして、摺動部材５０の進退に応じてラック５２がスイッチハブ６０を介してスイッチ６１をオン・オフ操作する。
【００２２】
以上のように構成されたハブガイド２５と、ハブ本体１０並びに制御ハブ２０は、次のように組み付けられる。すなわち、ハブガイド２５の軸穴２６に対して、裏面側からハブ本体１０の円筒軸１０Ａを挿入し、この円筒軸１０Ａのハブ穴１２に対して、制御ハブ２０の外周をその正面側から嵌合する。この時、制御ハブ２０の円弧状切欠き２１にハブ本体１０の円弧状凸部１２Ｂが挿入されている状態となる。そして、制御ハブ２０の一側面側に形成した円弧状凸部２４，２４の外周部分にリング４０の内周部分を嵌め入れる。また、ハブガイド２５の摺動溝２７に対して摺動部材５０を嵌め入れる。さらに、この組み付け状態で支持部材１５の上板１５Ａと下板１５Ｂとの間に嵌挿される。
【００２３】
次に、図３及び図１０〜図１４に基づいて、本発明の扉錠の作用について説明する。
図３は、合鍵ｋを鍵穴に挿入してデットボルト５をフロント板Ｄから前進させた施錠状態を示し、スイッチ６１はオフ状態となっている。このとき、デッドハブ４を構成するハブ本体１０及び制御ハブ２０は一体に回動されると共に、ボール３０は、ハブ本体１０のボール穴１３と制御ハブ２０のボール穴２３とにバネ３５で押し付けられている。
【００２４】
そして、前記図３の施錠状態完了後に、図１０に示すように、合鍵ｋを更に所定角度（この実施形態の場合には約１８度）だけ施錠方向に回動操作すると、シリンダー２の操作杆２Ａが制御ハブ２０の円弧状凸部２４の第１当接部２４Ａに当接し、制御ハブ２０を時計方向に回動する。そうすると、円弧状凸部２４の第２当接部２４Ｂがリング４０の係合凸部４２に当接して、制御ハブ２０とリング４０とが時計方向に一体的に回動する。そして、この回動操作によって、摺動部材５０の係合部５１とリング４０の係合受部４１とが係合することによって、摺動部材５０がスライド後退する。さらに、摺動部材５０がスライド後退すると、摺動部材５０のラック５２がスイッチハブ６０を反時計方向に軸６０Ａを中心に回動し、スイッチハブ６０のスイッチ操作部６０Ｂがスイッチ６１に作用して、このスイッチ６１をオン状態とする。このように施錠状態から所定角度だけ合鍵ｋで回動操作する場合、制御ハブ２０は合鍵ｋの回動操作に応動して回動するが、ハブ本体１０はその係合部１１がハブガイド２５と支持部材１５に当接するロック位置Ｐに至った段階以降、回動を阻止されるとともに、更に制御ハブ２０を合鍵で回動操作させると、制御ハブ２０とハブ本体１０とを一体に回動するために両ハブ１０，２０のボール穴１３，２３に跨って介在させているボール３０が、ボール穴２３のテーパ部２３Ｂの作用によって、バネ３５の付勢力に抗して制御ハブ２０のボール穴２３から除去されて制御ハブ２０単独での回動を可能な状態とすることができる。前記所定角度（この実施形態の場合には約１８度）とは、図３に示す操作杆２Ａの状態から起算する角度ではなく、操作杆２Ａが第１当接部２４Ａに当接したロック位置Ｐから更に回動する角度のことである。なお、制御ハブ２０のボール穴２３と、ハブ本体１０のボール穴１３、バネ３５並びに押出ピン３６、ボール３０と、所定角度以上のハブ本体１０の回動を阻止する係合部１１とハブガイド２５又は支持部材１５が前述した連係回動機構に相当し、この連係回動機構によって、ハブ４を制御ハブ２０とハブ本体１０との２つの部品で構成したものを、通常は一体的に回動操作可能とし、施錠状態から更に制御ハブ２０を合鍵ｋによって解錠方向に所定角度回動する場合に、ハブ本体１０回動を阻止しつつ制御ハブ２０のみを回動可能とすることができる。特に、ボール３０を採用することによって、施錠状態から更に制御ハブ２０を合鍵ｋによって解錠方向に所定角度回動する場合に、このボールが転動するので操作上の引っ掛りなどの違和感の問題が低減できる。
【００２５】
図１０に示す警報のセット状態から、図１１のシリンダー２の操作杆２Ａが水平状態とした合鍵ｋの引き抜き位置まで解錠方向に回動操作すると、制御ハブ２０のボール穴２３とハブ本体１０のボール穴１３とが合致し、バネ３５の付勢力で押出ピン３６を介してボール３０を制御ハブ２０のボール穴２３側に押しやり、ボール３０がボール穴２３の最深部２３Ａに当接して、所定角度回動操作される前の状態に戻し、合鍵ｋを引き抜いて警報のセットを完了する。
【００２６】
次に、図１１の警報のセット状態から、合鍵ｋを操作して操作杆２Ａを解錠方向に回動操作すると、図１２に示すように、操作杆２Ａがリング４０の係合凸部４２の当接部４２Ａに当接すると、この当接部４２Ａが制御ハブ２０の円弧状凸部２４の第２当接部２４Ｂに当接して制御ハブ２０を回動するとともに、ハブ本体１０は制御ハブ２０のボール穴２３とハブ本体１０のハブ穴１２との間に介在するボール３０の作用によって、制御ハブ２０と一体的に回動する。
【００２７】
そして、図１３に示すように、リング４０の回動操作に伴って、摺動部材５０の係合部５１とリング４０の係合受部４１とが係合し摺動部材５０を前進させる一方、スイッチハブ６０のスイッチ操作部６０Ｂのスイッチ６１への当接が解除されて、スイッチ６１をオフとする。この時には、デットボルト５が完全に後退しておらず、図示しないが、フロントＤからデットボルト５が突出した解錠途中の施錠状態を呈している。つまり、この実施例のように、合鍵ｋによって制御ハブ２０を回動しようとする途中でスイッチ６１がスイッチオフの状態になるので、万一、合鍵ｋを最後まで操作せず、バネの力などによりデッドボルト５が後退して解錠されるようなことが起きても、スイッチ６１をＯＦＦできるので、扉を開けても警報されない。即ち，不正解錠とは見做されない。このように誤報を防止する効果がある。
【００２８】
図１４に示すように、更に、合鍵ｋを操作してハブ４を回動操作することによって、ハブ本体１０の係合部１１がデットボルト５の係合切欠き５Ａを介して、デットボルト５を錠ケース１内に完全に後退させることによって解錠状態とする。
【００２９】
以上、シリンダー２の操作による、施錠状態から解錠、更に、スイッチ６１のセットから解錠にいたる一連の作用について説明した。
【００３０】
図１５は、前述したように、シリンダー２の操作により図１１の如く施錠状態でスイッチ６１がオン状態において、室内側からサムターン３の操作により解錠した状態を示しているが、この場合、サムターン３操作ではスイッチ６１のオン・オフはできないことを示している。すなわち、サムターン３操作による場合には、デットボルト５を錠ケース１内に後退する点はシリンダー２と同様であるが、リング４０、摺動部材５０、スイッチハブ６０が、サムターン３のサムターン軸の解錠操作に応動して動作しないため、スイッチ６１はオン状態を保持したままとなる。ハブ本体１０と制御ハブ２０とがボール３０の作用によって一体的に回動するにもかかわらず、スイッチ６１のオン・オフ操作を行うスイッチハブ６０を回動するためのリング４０がハブ本体１０と制御ハブ２０と追随して回動しないように構成するために、制御ハブ２０のサムターン３による解錠操作の開始に応じて、円弧状凸部２４と係合凸部４２との当接が解除されるように構成している。つまり、一対の円弧状凸部２４，２４と係合凸部４２，４２との当接状態が、サムターン３による解錠のための回動で一挙に解除され、ハブ本体１０と制御ハブ２０との回動操作がリング４０が追随しない状態で行われるようになっている。しかも、図１５におけるサムターン３による解錠状態から再度施錠状態に操作しても、スイッチ６１はオン状態を保持したままとなり、サムターン３の施解錠操作にスイッチ６１のオン・オフは影響を及ぼさない。このことにより不正にサムターン３を操作し、室内に進入した場合でも、スイッチ６１はオンのままなので防犯状態が保持され警報を発する。
【産業上の利用可能性】
【００３１】
この発明は、近年需要が見込まれるオフィスセキュリティシステムや、一般家庭用のホームセキュリティシステムなどと連係することによって、警備システムの設計をより容易なものとすることが可能な扉錠に適用することができる。
【図面の簡単な説明】
【００３２】
【図１】本発明の扉錠の実施形態の一例を示した分解斜視図である。
【図２】本発明の扉錠を組付けた状態の要部断面図である。
【図３】本発明の扉錠におけるデットボルトをフロント板から前進させた施錠状態を示す錠ケースの縦断面図である。
【図４】（Ａ）は本発明の扉錠における支持部材の正面図、（Ｂ）は（Ａ）の中央縦断面図、（Ｃ）底面図、（Ｄ）は背面図である。
【図５】（Ａ）は本発明の扉錠におけるハブガイドの正面図、（Ｂ）は平面図、（Ｃ）は底面図、（Ｄ）は左側面図である。
【図６】（Ａ）は本発明の扉錠におけるデットハブのハブ本体の正面図、（Ｂ）は（Ａ）のＡ−Ｏ−Ａ断面図、（Ｃ）は（Ａ）のＢ−Ｏ−Ｃ断面図である。
【図７】（Ａ）は本発明の扉錠における制御ハブの正面図、（Ｂ）は背面図、（Ｃ）は（Ｂ）のＡ−Ｏ−Ｂ断面図である。
【図８】（Ａ）は本発明の扉錠におけるリングの正面図、（Ｂ）は断面図である。
【図９】（Ａ）は摺動部材の正面図、（Ｂ）は（Ａ）のＡ−Ａ断面図である。
【図１０】本発明の扉錠におけるスイッチハブでスイッチをオンとした状態を示す縦断面図である。
【図１１】図１０におけるスイッチをオンにした後、合鍵を解錠方向に戻して抜き取った状態を示す扉錠の縦断面図である。
【図１２】図１１の施錠状態から合鍵によって解錠方向に回して解錠を開始した状態を示す扉錠の縦断面図である。
【図１３】図１２の状態から更に合鍵を解錠方向に回して、スイッチをＯＦＦ状態とした状態を示す扉錠の縦断面図である。
【図１４】図１３の状態から更に合鍵を解錠方向に回して、解錠状態とした扉錠の縦断面図である。
【図１５】図１１の施錠状態からサムターンで解錠した状態を示す扉錠の縦断面図である。
【符号の説明】
【００３３】
１                          錠ケース
２                          シリンダー
３                          サムターン
４                          デットハブ
５                          デットボルト
１０                        ハブ本体
１２                        ハブ穴
１３、２３                  ボール穴
２０                        制御ハブ
２２                        分離室
２４                        円弧状凸部
３０                        ボール
４０                        リング
４１                        係合受部
５０                        摺動部材
６０                        スイッチハブ
６１                        スイッチ
ｋ                          合鍵
【図１】
2007270590.tif 000003
【図２】
2007270590.tif 000004
【図３】
2007270590.tif 000005
【図４】
2007270590.tif 000006
【図５】
2007270590.tif 000007
【図６】
2007270590.tif 000008
【図７】
2007270590.tif 000009
【図８】
2007270590.tif 000010
【図９】
2007270590.tif 000011
【図１０】
2007270590.tif 000012
【図１１】
2007270590.tif 000013
【図１２】
2007270590.tif 000014
【図１３】
2007270590.tif 000015
【図１４】
2007270590.tif 000016
【図１５】
2007270590.tif 000017